(57)【要約】【課題】  冠婚葬祭のいずれかの新たな儀式に参列する人であれば誰でも利用可能な当該儀式に必要な情報をピンポイントに作成するようにしたピンポイント情報の作成装置及び作成方法を提供する。【解決手段】  操作機器１１０の操作により新たな葬儀に必要とされる基本的な情報を基本データとして入力されたときサーバ１２０は当該基本データを表示装置１５０にて表示させる。また、サーバ１２０が、ＨＤ１３０に記憶済みの提供情報リストを表示装置１５０に表示させると、この表示提供情報リストから上記表示基本データに基づき上記新たな儀式に必要なマナーデータが操作機器１１０の操作により選択される。上記基本データ及び上記選択マナーデータに基づき上記新たな儀式に必要なピンポイント情報がサーバ１２０により作成される。【選択図】    図１
2006251942.tif 000002
【特許請求の範囲】
【請求項１】
冠婚葬祭のいずれかの新たな儀式に必要とされる基本的な情報を基本データとして入力されたとき当該基本データを表示手段にて表示する基本データ表示手段と、
利用者に提供すべき冠婚葬祭に関連する多数の情報を提供情報リストとして記憶する記憶手段と、
この記憶手段に記憶した前記提供情報リストを表示する提供情報リスト表示手段と、
前記表示提供情報リストから前記表示基本データに基づき前記新たな儀式に必要なマナーデータを選択するマナーデータ選択手段と、
前記基本データ及び前記選択マナーデータに基づき前記新たな儀式に必要なピンポイント情報を作成するピンポイント情報作成手段とを備える冠婚葬祭用ピンポイント情報作成装置。
【請求項２】
互いに異なる複数の情報取得用キーワードを表示するキーワード表示手段と、
このキーワード表示手段で表示された前記複数の情報取得用キーワードのうちの少なくとも１つのキーワードを選択するキーワード選択手段と、
このキーワード選択手段で選択されたキーワードに基づきピンポイントアクセスデータを作成するピンポイントアクセスデータ作成手段とを備えて、
前記ピンポイント情報作成手段は、前記ピンポイント情報を前記ピンポイントアクセスデータとの関連において作成するようにしたことを特徴とする請求項１に記載の冠婚葬祭用ピンポイント情報作成装置。
【請求項３】
操作手段、サーバ手段、記憶手段及び表示手段を備えて、
前記記憶手段は、利用者に提供すべき冠婚葬祭に関連する多数の情報を提供情報リストとして記憶するとともに、互いに異なる複数の情報取得用キーワードを記憶しており、
前記サーバ手段は、冠婚葬祭のいずれかの新たな儀式に必要とされる基本的な情報を基本データとして前記操作手段の操作により入力されたとき前記基本データを前記表示手段に出力し、前記記憶手段から前記提供情報リストを読み出したときこの提供情報リストを前記表示手段に出力し、前記記憶手段から前記複数の情報取得用キーワードを読み出したとき当該複数の情報取得用キーワードを前記表示手段に出力し、
前記表示手段は、前記サーバ手段から前記基本データを出力されたとき当該基本データを表示し、前記サーバ手段から前記提供情報リストを出力されたとき当該提供情報リストを表示し、また、前記サーバ手段から前記複数の情報取得用キーワードを出力されたとき当該複数の情報取得用キーワードを表示し、
前記サーバ手段は、前記表示提供情報リストから前記新たな儀式に必要なマナーデータを前記表示基本データに基づき選択し、前記複数の情報取得用キーワードから少なくとも１つのキーワードを選択してこの選択キーワードに基づきピンポイントアクセスデータを作成し、このピンポイントアクセスデータとの関連にて前記基本データ及び前記選択マナーデータに基づき前記新たな儀式に必要なピンポイント情報を作成するようにした冠婚葬祭用ピンポイント情報作成装置。
【請求項４】
冠婚葬祭のいずれかの新たな儀式に必要とされる基本的な情報を基本データとして入力して表示する基本データ表示ステップと、
利用者に提供すべき冠婚葬祭に関連する多数の情報を提供情報リストとして表示する提供情報リスト表示ステップと、
前記表示提供情報リストから前記基本データに基づき前記新たな儀式に必要なマナーデータを選択するマナーデータ選択ステップと、
前記基本データ及び前記選択マナーデータに基づき前記新たな儀式に必要なピンポイント情報を作成するピンポイント情報作成ステップとを備える冠婚葬祭用ピンポイント情報作成方法。
【請求項５】
情報取得用キーワードを表示するキーワード表示ステップと、
このキーワード表示ステップで表示されたキーワードに基づきピンポイントアクセスデータを作成するピンポイントアクセスデータ作成ステップとを備えて、
前記ピンポイント情報作成ステップにて、前記ピンポイント情報を前記ピンポイントアクセスデータとの関連において作成するようにしたことを特徴とする請求項４に記載の冠婚葬祭用ピンポイント情報作成方法。
【請求項６】
互いに異なる複数の情報取得用キーワードを表示するキーワード表示ステップと、
このキーワード表示ステップで表示された前記複数の情報取得用キーワードのうちの少なくとも１つのキーワードを選択するキーワード選択ステップと、
このキーワード選択ステップで選択されたキーワードに基づきピンポイントアクセスデータを作成するピンポイントアクセスデータ作成ステップとを備えて、
前記ピンポイント情報作成ステップにて、前記ピンポイント情報を前記ピンポイントアクセスデータとの関連において作成するようにしたことを特徴とする請求項４に記載の冠婚葬祭用ピンポイント情報作成方法。
【請求項７】
前記複数の情報取得用キーワードは、少なくともホームページアドレス及びメールアドレスであり、
前記キーワード選択ステップにおいて、前記ホームページアドレス及びメールアドレスのうちの少なくとも一つを選択し、
前記ピンポイントアクセスデータ作成ステップにおいて、前記キーワード選択ステップで選択された前記ホームページアドレス及びメールアドレスのうちの少なくとも一つに基づき前記ピンポイントアクセスデータを作成するようにしたことを特徴とする請求項５に記載の冠婚葬祭用ピンポイント情報作成方法。
【発明の詳細な説明】
【技術分野】
【０００１】
本発明は、冠婚葬祭用ピンポイント情報の作成装置及び作成方法に関するものである。
【背景技術】
【０００２】
従来、我が国では、古来から最も重要とされてきた４大儀式がある。この４大儀式は、元服、婚礼、葬儀及び祖先の祭祀であって、一般的には冠婚葬祭といわれている。
【０００３】
この冠婚葬祭のうち、例えば、葬儀に参列するにあたり、当該葬儀に関連する情報が分からないことが多い。
【０００４】
当該情報のうち、葬儀のマナー（礼儀作法）は、一般的には、宗教や宗派によって相違するため、当該葬儀に必要なマナーが分からないことが多い。さらには、葬儀のマナーは、地域の慣習や世代等によっても相違するため、当該葬儀に必要とされるマナーがより一層分かりにくい。
【０００５】
従って、当該葬儀に必要なマナーはどのようなものであるかを調べる必要が生じるが、当該マナーの調べ方が分からなかったり、突然の訃報のために当該マナーを調べる時間もないことがしばしば生ずる。
【０００６】
以上述べたことに対しては、例えば、下記非特許文献１に開示された牛の個体識別情報検索サービスを流用することが考えられる。この個体識別情報検索サービスによれば、牛の個体情報が、牛個体識別台帳に登録されている事項を検索キーワードとして利用することで、取り出されるようになっている。
【非特許文献１】「牛の個体識別のための情報の管理及び伝達に関する特別措置法による個体識別情報の公表」、（on line）、平成１６年１２月１５日、独立行政法人  家畜改良センター  個体識別部、（平成１７年２月２８日検索）、インターネット＜http://www.id.nlbc.go.jp/top.html＞
【発明の開示】
【発明が解決しようとする課題】
【０００７】
しかし、上述のような個体識別情報検索サービスによる検索の仕方を、葬儀に単に流用しようとしても、上述のごとく、葬儀のマナーが、宗教や宗派に加え、地域の慣習や世代等によって相違するため、当該葬儀に必要とされるマナーに関する情報を、的に絞った検索、いわゆるピンポイント検索でもって取得することは困難である。このようなことは、マナーに関する情報に限らず、当該葬儀に関連する情報の全体においても同様である。
【０００８】
そこで、本発明は、以上のようなことに対処するため、冠婚葬祭のいずれかの新たな儀式に参列する人であれば誰でも利用可能な当該儀式に必要な情報をピンポイントに作成するようにしたピンポイント情報の作成装置及び作成方法を提供することを目的とする。
【課題を解決するための手段】
【０００９】
上記課題の解決にあたり、本発明に係る冠婚葬祭用ピンポイント情報作成装置は、請求項１の記載によれば、
冠婚葬祭のいずれかの新たな儀式に必要とされる基本的な情報を基本データとして入力されたとき当該基本データを表示手段にて表示する基本データ表示手段（１１０、１５０、３００）と、
利用者に提供すべき冠婚葬祭に関連する多数の情報を提供情報リストとして記憶する記憶手段（１３０）と、
この記憶手段に記憶した上記提供情報リストを表示する提供情報リスト表示手段（１５０、３２２）と、
上記表示提供情報リストから上記表示基本データに基づき上記新たな儀式に必要なマナーデータを選択するマナーデータ選択手段（１１０、３３０、３４１、３５０）と、
上記基本データ及び上記選択マナーデータに基づき上記新たな儀式に必要なピンポイント情報を作成するピンポイント情報作成手段（４１１）とを備える。
【００１０】
このように、冠婚葬祭のいずれかの新たな儀式に必要とされる基本的な情報を基本データとして入力されたとき当該基本データを表示し、利用者に提供すべき冠婚葬祭に関連する多数の情報からなる提供情報リストを表示し、この表示提供情報リストから上記表示基本データに基づき上記新たな儀式に必要なマナーデータを選択し、上記基本データ及び上記選択マナーデータに基づき上記新たな儀式に必要なピンポイント情報を作成するようにした。
【００１１】
このため、上記提供情報リストを構成する情報が多くても、上述のようにピンポイント情報を作成することで、このピンポイント情報が、上記新たな儀式に必要な的を絞った情報として容易にしかも簡単に作成され得る。
【００１２】
従って、上記新たな儀式に関し必要な情報を提供する者は、当該新たな儀式に関し、有効かつ的確な情報を的に絞って利用者に提供し得る。また、上記新たな儀式に参列する者等の利用者は、誰でも、上記ピンポイント情報を取得することで、当該新たな儀式に必要なマナー情報その他の情報を簡単にかつタイミングよく知ることができる。その結果、上記新たな儀式に参列する者等の利用者は、上記ピンポイント情報をもとに安心して当該新たな儀式に参列する等、当該儀式に係わることができる。
【００１３】
ここで、上記ピンポイント情報には、上記新たな儀式に必要なマナーデータが含まれている。従って、当該儀式のマナーに的確にあわせてこの儀式を終えることができる。
【００１４】
なお、上記提供情報リストが、テレビ受像機、事典、雑誌、インターネット等で全国に公表されている葬儀に関する一般的な情報に、例えば、地域の慣習、世代等に関する情報を付加情報として付加編集して構成されることで、上記ピンポイント情報のうちのマナー情報には、上記一般的な情報では得られない付加情報中のマナー情報も含まれる。従って、上記ピンポイント情報は、利用者にとってより一層便利な情報となる。
【００１５】
また、本発明は、請求項２の記載によれば、請求項１に記載の冠婚葬祭用ピンポイント情報作成装置において、
互いに異なる複数の情報取得用キーワードを表示するキーワード表示手段（１５０、３８０）と、
このキーワード表示手段で表示された上記複数の情報取得用キーワードのうちの少なくとも１つのキーワードを選択するキーワード選択手段（１１０、３９０、３９１〜３９５）と、
このキーワード選択手段で選択されたキーワードに基づきピンポイントアクセスデータを作成するピンポイントアクセスデータ作成手段（４１０）とを備えて、
ピンポイント情報作成手段は、上記ピンポイント情報を上記ピンポイントアクセスデータとの関連において作成するようにしたことを特徴とする。
【００１６】
このように、互いに異なる複数の情報取得用キーワードを表示し、このように表示した複数の情報取得用キーワードのうちの少なくとも１つのキーワードを選択し、このように選択したキーワードに基づきピンポイントアクセスデータを作成し、このように作成したピンポイントアクセスデータとの関連で上記ピンポイント情報を作成するようにした。
【００１７】
これにより、例えば、上記ピンポイントアクセスデータを、ネットワークに送信しておき、上記新たな儀式に参列する者等の利用者の眼にとまるように表示或いは掲載しておけば、当該利用者は、眼にとまった上記ピンポイントアクセスデータをもとに携帯電話等の端末でもって上記ピンポイント情報を上記ネットワークにアクセスすることで、上記ピンポイント情報をタイミングよく閲覧し得る。その結果、請求項１に記載の発明の作用効果がより一層具体的に達成され得る。
【００１８】
また、本発明に係る冠婚葬祭用ピンポイント情報提供装置は、請求項３の記載によれば、
操作手段（１１０）、サーバ手段（１２０）、記憶手段（１３０）及び表示手段（１５０）を備えて、
記憶手段は、利用者に提供すべき冠婚葬祭に関連する多数の情報を提供情報リストとして記憶するとともに、互いに異なる複数の情報取得用キーワードを記憶しており、
サーバ手段は、冠婚葬祭のいずれかの新たな儀式に必要とされる基本的な情報を基本データとして操作手段の操作により入力されたとき上記基本データを表示手段に出力し、記憶手段から上記提供情報リストを読み出したときこの提供情報リストを表示手段に出力し、記憶手段から上記複数の情報取得用キーワードを読み出したとき当該複数の情報取得用キーワードを表示手段に出力し、
表示手段は、サーバ手段から上記基本データを出力されたとき当該基本データを表示し、サーバ手段から上記提供情報リストを出力されたとき当該提供情報リストを表示し、また、サーバ手段から上記複数の情報取得用キーワードを出力されたとき当該複数の情報取得用キーワードを表示し、
サーバ手段は、上記表示提供情報リストから上記新たな儀式に必要なマナーデータを上記表示基本データに基づき選択し、上記複数の情報取得用キーワードから少なくとも１つのキーワードを選択してこの選択キーワードに基づきピンポイントアクセスデータを作成し、このピンポイントアクセスデータとの関連にて上記基本データ及び上記選択マナーデータに基づき上記新たな儀式に必要なピンポイント情報を作成する。
【００１９】
このように、請求項１に記載の発明と同様の構成となるように操作手段、サーバ手段、記憶手段及び表示手段でもって構成しても、請求項１に記載の発明と同様の作用効果が達成され得る。
【００２０】
また、本発明に係る冠婚葬祭用ピンポイント情報作成方法では、請求項４の記載によれば、
冠婚葬祭のいずれかの新たな儀式に必要とされる基本的な情報を基本データとして入力して表示する基本データ表示ステップ（１１０、１５０、３００）と、
利用者に提供すべき冠婚葬祭に関連する多数の情報を提供情報リストとして表示する提供情報リスト表示ステップ（１５０、３２２）と、
上記表示提供情報リストから上記基本データに基づき上記新たな儀式に必要なマナーデータを選択するマナーデータ選択ステップ（１１０、３３０、３４１、３５０）と、
上記基本データ及び上記選択マナーデータに基づき前記新たな儀式に必要なピンポイント情報を作成するピンポイント情報作成ステップ（４１１）とを備える。
【００２１】
これにより、請求項１に記載の発明と同様の作用効果を達成し得る冠婚葬祭用ピンポイント情報作成方法の提供が可能となる。
【００２２】
また、本発明は、請求項５の記載によれば、請求項４に記載の冠婚葬祭用ピンポイント情報作成方法において、
情報取得用キーワードを表示するキーワード表示ステップ（３８０）と、
このキーワード表示ステップで表示されたキーワードに基づきピンポイントアクセスデータを作成するピンポイントアクセスデータ作成ステップ（４１０）とを備えて、
上記ピンポイント情報作成ステップにて、上記ピンポイント情報を上記ピンポイントアクセスデータとの関連において作成するようにしたことを特徴とする。
【００２３】
これにより、情報取得用キーワードが単数であっても、請求項２に記載の発明と実質的に同様の作用効果を達成し得る冠婚葬祭用ピンポイント情報作成方法の提供が可能となる。    また、本発明は、請求項６の記載によれば、請求項４に記載の冠婚葬祭用ピンポイント情報作成方法において、
互いに異なる複数の情報取得用キーワードを表示するキーワード表示ステップ（１５０、３８０）と、
このキーワード表示ステップで表示された上記複数の情報取得用キーワードのうちの少なくとも１つのキーワードを選択するキーワード選択ステップ（１５０、３９０、３９１〜３９５）と、
このキーワード選択ステップで選択されたキーワードに基づきピンポイントアクセスデータを作成するピンポイントアクセスデータ作成ステップ（４１０）とを備えて、
上記ピンポイント情報作成ステップにて、上記ピンポイント情報を上記ピンポイントアクセスデータとの関連において作成するようにしたことを特徴とする。
【００２４】
これにより、請求項２に記載の発明と同様の作用効果を達成し得る冠婚葬祭用ピンポイント情報作成方法の提供が可能となる。
【００２５】
また、本発明は、請求項７の記載によれば、請求項５に記載の冠婚葬祭用ピンポイント情報作成方法において、
上記複数の情報取得用キーワードは、少なくともホームページアドレス及びメールアドレスであり、
上記キーワード選択ステップにおいて、上記ホームページアドレス及びメールアドレスのうちの少なくとも一つを選択し、
上記ピンポイントアクセスデータ作成ステップにおいて、上記キーワード選択ステップで選択された上記ホームページアドレス及びメールアドレスのうちの少なくとも一つに基づき上記ピンポイントアクセスデータを作成するようにしたことを特徴とする。
【００２６】
このように、上記複数の情報取得用キーワードを、少なくとも、一般的に使用頻度の高いホームページアドレス及びメールアドレスとすることで、請求項５に記載の発明の作用効果がより一層向上され得る。
【００２７】
なお、請求項２或いは３に記載の発明にて述べたピンポイントアクセスデータと関連付けてなるピンポイント情報を送信する通信手段を設けてピンポイント情報提供装置としてもよい。
【００２８】
また、請求項２或いは３に記載の発明にて述べたピンポイントアクセスデータと関連付けてなるピンポイント情報をネットワークに送信する通信手段と、上記ネットワークに対し上記ピンポイントアクセスデータでもって上記ピンポイント情報を検索する端末とを設けて、ピンポイント情報検索システムとしてもよい。これによれば、上記新たな儀式に係わる者は、タイミングよく当該新たな儀式に必要なピンポイント情報を取得できる。
【００２９】
また、請求項５に記載の発明にて述べたピンポイントアクセスデータと関連付けてなるピンポイント情報をネットワークに送信し、このネットワークに対し上記ピンポイントアクセスデータでもって上記ピンポイント情報を端末により検索するようにしたピンポイント情報検索方法としてもよい。これによれば、上記新たな儀式に係わる者は、タイミングよく当該新たな儀式に必要なピンポイント情報を取得できる。
【００３０】
また、上記各手段の括弧内の符号は、後述する実施形状に記載の具体的手段との対応関係を示す。
【発明を実施するための最良の形態】
【００３１】
以下、本発明の各実施形態を図面により説明する。
（第１実施形態）
図１は、本発明が適用される葬儀用ピンポイント情報検索システムの第１実施形態を示している。このピンポイント情報検索システムは、ピンポイント情報提供装置１００を備えており、このピンポイント情報提供装置１００は、葬儀業者等の葬儀情報提供者の施設に設置されている。
【００３２】
当該ピンポイント情報提供装置１００は、操作機器１１０、サーバ１２０、ハードディスク１３０（以下、ＨＤ１３０ともいう）、通信装置１４０及び表示装置１５０でもって構成されている。
【００３３】
操作機器１１０は、キーボードやマウス等からなるもので、この操作機器１１０は、その操作により、必要なデータをサーバ１２０に入力する。
【００３４】
サーバ１２０は、コンピュータからなるもので、このサーバ１２０は、図２及び図３にて示すフローチャートに従いサーバプログラムを実行し、この実行中において、操作機器１１０からの操作入力やＨＤ１３０からのデータに基づく葬儀用ピンポイント情報の作成処理、通信装置１４０を介する送受信処理や表示装置１５０の表示処理等を行う。本第１実施形態では、上記サーバプログラムは、サーバ１２０のＲＯＭに当該サーバにより読み出し可能に予め記憶されている。
【００３５】
ＨＤ１３０には、提供情報リストが予め記憶されている。本第１実施形態において、当該提供情報リストは、葬儀に関する一般的な情報のリスト及び付加情報のリストで構成されている。
【００３６】
ここで、上記一般的な情報は、テレビ受像機、事典、雑誌、インターネット等で全国に公表されている葬儀に関する一般的な情報である。この一般的な情報としては、例えば、次のような情報が挙げられる。
【００３７】
仏式葬儀のマナーに関する情報：
（ａ）告別式或いは葬儀（以下、簡略のため告別式ともいう）に関する情報
受付にて香典を出し記帳、その後着席してください。既に通夜で香典を出している場合には、記帳のみを行い着席してください。その後、読経・順次焼香となります。
（ｂ）葬儀のときの服装に関する情報
男性正式和装・洋装：
和装の場合、黒の五つ紋付きの着物と羽織に袴。洋装の場合、黒のモーニングコート    にズボン（黒とグレーの縞模様）及びネクタイを付ける。ポケットチーフも黒。
【００３８】
男性略式喪服：
ブラックスーツに黒のネクタイをつける。友人・知人の場合はダークスーツでも可。
【００３９】
女性正式和装・洋装：
和装の場合、黒の五つ紋付きの着物に黒帯、黒の帯揚げ、黒の帯締め。洋装の場合、    襟元のつまった長袖で、黒のワンピースやスーツなどでそれ以外も黒で統一する。
【００４０】
女性略式喪服：
紺色やグレーなどのおとなしいワンピースやスーツ。
【００４１】
香典：
薄墨で香典袋の文字をお書きください。通夜・葬儀：「御霊前」、「御香典」、「御香料」。
【００４２】
また、上記付加情報は、上記一般的な情報とは異なり、一般的でない情報であって、例えば、地域の慣習、世代等に関する情報である。この情報としては、例えば、香典に包む金額がある。これは、地域の慣習、世代、故人との関係、弔問する人の社会的地位等でもって相違するためである。
【００４３】
例えば、金額は、祖父母、両親、兄弟姉妹、おじやおば、その他親族、友人や知人、隣近所、上司、同僚、部下、取引関係等によって、相違する。
【００４４】
また、上記一般的情報及び付加情報は、それぞれ、葬儀者（喪主）側及び参列者側の双方においてそれぞれ必要なマナー情報を含む。本第１実施形態においては、上記付加情報のリストは上記情報提供者により上記一般的な情報のリストに編集により付加されて上記提供情報リストとして構成されている。
【００４５】
通信装置１４０は、例えば、ルータからなるもので、この通信装置１４０は、ネットワークＮを介し利用者の各種端末２００〜２４０との間でデータの送受信を行う。表示装置１５０は、サーバ１２０による制御のもと、各種情報を表示する。
【００４６】
各端末２００、２１０は、参列予定者の自宅のパーソナルコンピュータシステム（以下、パソコンともいう）である。各端末２２０、２３０は、参列予定者の所有に係る携帯電話である。また、端末２４０は、操作パネルとしてタッチパネルを有する店のパソコンである。なお、これら各端末２００〜２４０は、それぞれ、適宜な各通信装置（図示しない）を介しネットワークＮと通信可能となっている。
【００４７】
以上のように構成した本第１実施形態において、サーバ１２０を作動状態におけば、当該サーバ１２０は、図２及び図３のフローチャートに従い上記サーバプログラムの実行を開始する。まず、ステップ３００において基本データの入力処理がなされる。ここで、当該基本データは、新たな葬儀に必要とされる基本的なデータである。本第１実施形態において、当該基本データは、例えば、葬儀者名、葬儀会場、告別式日時、葬儀の種類及び掲載期間からなる各項目を表すデータである。
【００４８】
このステップ３００における入力処理では、上記葬儀情報提供者が、操作機器１１０の操作でもって、次のように上記基本データを項目毎に入力する。
【００４９】
葬儀者名      ＡＢＣ様
葬儀会場      ××市△△町○○村
告別式日時    △△月□□□日午後××時より
葬儀の種類    ○○式葬儀
掲載期間      △△月□日〜△△月□□日
なお、上述の葬儀の種類の例としては、仏式葬儀、神道式葬儀、キリスト教式葬儀等がある。
【００５０】
このようにして基本データの入力が終了すると、ステップ３１０においてＹＥＳと判定される。これに伴い、ステップ３１１において基本データの記憶処理がなされる。この記憶処理では、上述のように入力された基本データが、サーバ１２０からＨＤ１３０に出力されて当該ＨＤ１３０に記憶される。
【００５１】
ステップ３１１の処理後、ステップ３１２において基本データの表示処理がなされる。この表示処理では、上述のように入力済みの基本データが表示データとして作成され表示装置１５０に出力される。このため、表示装置１５０は、その表示画面にて、上記表示データに基づき上記基本データを「ＯＫ」及び「ＮＧ」という各ボタンとともに表示する（図４参照）。これにより、上記葬儀情報提供者は、表示装置１５０による表示基本データを視認し得る。
【００５２】
ステップ３１２における処理後、ステップ３２０において、表示装置１５０による表示基本データが適正か否かについて判定される。ここで、上記葬儀情報提供者が表示装置１５０による表示基本データを不適正と判断すれば、当該葬儀情報提供者は、表示装置１５０の表示画面（図４参照）中の「ＮＧ」というボタンを操作機器１１０の操作によりクリックする。これに伴い、ステップ３２０にてＮＯと判定されて、再度ステップ３００〜ステップ３２０の処理がなされる。
【００５３】
また、上述した葬儀情報提供者が表示装置１５０の表示基本データについて適正と判断する場合には、当該葬儀情報提供者は、表示装置１５０の表示画面（図４参照）中の「ＯＫ」というボタンを操作機器１１０の操作によりクリックする。これに伴い、ステップ３２０における判定がＹＥＳとなる。
【００５４】
然る後、ステップ３２１において、上記提供情報リストの読み出し表示処理がなされる。これに伴い、当該提供情報リストが、ＨＤ１３０から読み出されて、ステップ３２２において、「検索終了」というボタン（図示しない）とともに、表示装置１５０の表示画面に表示される。
【００５５】
ついで、ステップ３３０において、マナーデータ検索処理がなされる。ここでは、マナーは、上述のごとく、上記基本データ中の○○式葬儀及び葬儀会場の地域に関連するものである。従って、○○式葬儀及び葬儀会場の地域に関連するマナーデータを表すリストが、操作機器１１０の操作によるクリックでもって、上述のように表示装置１５０の表示画面に表示された提供情報リストからマナーデータリストとして検索される。
【００５６】
このような状態において、上記検索が終了すれば、表示装置１５０における上記提供情報リストの表示画面中の上記ボタン「検索終了」を操作機器１１０の操作によりクリックすることで、ステップ３４０においてＹＥＳと判定される。
【００５７】
これに伴い、ステップ３４１において、検索マナーデータリストの表示処理がなされる。この表示処理では、上述のように検索されたマナーデータリストが表示データとして作成されて表示装置１５０に出力される。これにより、表示装置１５０が、その表示画面にて、上記表示データに基づき、上述のように検索したマナーデータリストを「選択終了」というボタン（図示しない）とともに表示する。
【００５８】
このように表示された後は、ステップ３５０において、必要なマナーデータの選択処理がなされる。ここでは、上記新たな葬儀に必要なマナーデータが、上述のように表示装置１５０の表示画面に表示されているマナーデータリストから上記基本データに基づき操作機器１１０の操作によるクリックでもって選択される。
【００５９】
然る後、上記表示画面中のボタン「選択終了」が操作機器１１０の操作によりクリックされると、ステップ３６０においてＹＥＳと判定される。これに伴い、図３のステップ３７０において、情報取得用キーワードの読み出し処理がなされる。この読み出し処理では、５つの情報取得用キーワード１〜５（図５参照）が、ＨＤ１３０から読み出される。
【００６０】
本第１実施形態では、上記５つの情報取得用キーワード１〜５は、ＨＤ１３０に予めデータとして記憶されている。
【００６１】
ステップ３７０の処理が終了すると、次のステップ３８０において、情報取得用キーワード１〜５の表示処理がなされる。この表示処理では、ステップ３７０にて読み出し済みの各キーワードが、表示データとして作成されて表示装置１５０に出力される。これに伴い、当該表示装置１５０は、その表示画面にて、上述の５つの情報取得用キーワード１〜５を「選択終了」というボタンとともに表示する（図５参照）。本第１実施形態において、当該各キーワード１〜５は、次の通りである。
【００６２】
キーワード１：  ホームページアドレス（ＵＲＬ）
キーワード２：  メールアドレス
キーワード３：  呼び出し番号
キーワード４：  両キーワード１、２の組み合わせ
キーワード５：  タッチパネル用アドレス或いは呼び出し番号
ここで、キーワード１のホームページアドレスは、いわゆるインターネットのホームページを特定する当該儀式に固有のアドレスである。
【００６３】
キーワード２のメールアドレスは、コンピュータや携帯電話でもってピンポイント情報（後述する）を受信するに必要なメール機能上のアドレスである。
【００６４】
キーワード３の呼び出し番号は、上記ピンポイント情報を呼び出すにあたり提供サイトであるホームページ上で検索するために用いる番号である。
【００６５】
キーワード４の両キーワード１、２の組み合わせは、上記ピンポイント情報を呼び出すために提供サイトであるホームページに表示される両キーワード１、２である。
【００６６】
具体的には、キーワード２のメールアドレスを、例えば、携帯電話でもって、知らせた後に、このメールアドレスで特定されるメールの内容に基づきキーワード１のホームページアドレスを携帯電話に表示させ、このホームページアドレスでもってピンポイント情報を呼び出して表示させるように、両キーワード１、２の組み合わせが構成される。
【００６７】
また、キーワード５のタッチパネル用アドレス或いは呼び出し番号は、例えば、２４時間営業店の端末を特定するタッチパネル用アドレス或いは呼び出し番号である。なお、当該２４時間営業店の端末では、そのタッチパネルにて上記タッチパネル用アドレス或いは呼び出し番号を操作入力することで、上記ピンポイント情報が呼び出されて表示される。
【００６８】
上述のようにして情報取得用キーワードの表示がなされると、次のステップ３９０において、キーワードの選択処理がなされる。ここで、上述の各キーワード１〜５のうち、キーワード１が、表示装置１５０の表示画面において操作機器１１０の操作によりクリックされると、上記サーバプログラムはステップ３９０からステップ３９１に進む。そして、「ホームぺージアドレス（ＵＲＬ）」が選択される。
【００６９】
現段階において、上述のように「ホームぺージアドレス（ＵＲＬ）」の選択のみでよければ、表示装置１５０の表示画面中のボタン「選択終了」（図５参照）が、操作機器１１０の操作によりクリックされ、ステップ４００において、ＹＥＳと判定される。
【００７０】
これに伴い、次のステップ４１０において、ピンポイントアクセスデータの作成処理がなされる。この作成処理では、上述のホームページアドレスの選択に基づき、ピンポイントアクセスデータ１が、具体的に、例えば、「ＵＲＬ：ｈｔｔｐ：／／ｗｗｗ．○△□．ｊｐ」と自動的に作成される。
【００７１】
ついで、ステップ４１１において、ピンポイント情報の作成処理がなされる。この作成処理では、上述した基本データ及び選択マナーデータが、上述のように作成したピンポイントアクセスデータとの関連にてピンポイント情報として作成される。
【００７２】
これに伴い、ステップ４１２において、ピンポイント情報の記憶処理がなされる。この記憶処理では、上記ピンポイント情報がデータとしてＨＤ１３０に出力されて記憶される。
【００７３】
然る後、ステップ４１３において、上記ピンポイント情報の表示処理がなされる。この表示処理では、上記ピンポイント情報、即ち、基本データ及び選択マナーデータが上述のように作成したピンポイントアクセスデータとの関連で表示データとして作成され表示装置１５０に出力される。
【００７４】
すると、当該表示装置１５０は、図６にて示すごとく、その表示画面において、上記ピンポイント情報を、「最終確認」、「部分修正」及び「変更」という各ボタンとともに表示する。
【００７５】
ここで、表示装置１５０による表示内容が適正であれば、当該表示装置１５０の表示画面中のボタン「最終確認」（図６参照）が操作機器１１０の操作によりクリックされる。これに伴い、ステップ４２０においてＹＥＳと判定される。
【００７６】
然る後、ステップ４３０において、ステップ４１２で記憶済みピンポイント情報の送信処理がなされる。この送信処理に伴い、上記ピンポイント情報、即ち、ピンポイントアクセスデータ（  ＵＲＬ：ｈｔｔｐ：／／ｗｗｗ．○△□．ｊｐ）との関連で基本データ及び選択マナーデータが送信データとしてルータを介し送信される。
【００７７】
しかして、以上のようにしてステップ４３０における送信処理が終了すると、上記送信データは、ネットワークＮにアップロードにより送信される。これに伴い、当該送信データはネットワークＮ中のウエブサーバ及びメールサーバの記憶装置に記憶される。
【００７８】
これにより、上記葬儀情報提供者側におけるウエブサーバ及びメールサーバを介するピンポイント情報の提供の準備が終了する。
【００７９】
このような段階において、上記葬儀情報提供者は、郵便物やファックス等の印刷物に上述の情報取得用キーワード１のホームページアドレスの具体的内容であるピンポイントアクセスデータ「ＵＲＬ：ｈｔｔｐ：／／ｗｗｗ．○△□．ｊｐ」を記載して当該郵便物の郵送や印刷物の送信をする。また、上記葬儀情報提供者は、上述の情報取得用キーワード１のピンポイントアクセスデータ「ＵＲＬ：ｈｔｔｐ：／／ｗｗｗ．○△□．ｊｐ」を、自己のホームページ、葬儀会場のメッセージボードや表示板等の参列予定者等の当該告別式に係わる者の眼にとまり易い場所に掲載する。
【００８０】
よって、参列予定者等の当該告別式に係わる者は、郵便物、印刷物、メッセージボードや表示板でもって、ピンポイントアクセスデータ１である「ＵＲＬ：ｈｔｔｐ：／／ｗｗｗ．○△□．ｊｐ」を容易に認識することができる。
【００８１】
従って、当該参列予定者等の当該告別式に係わる者は、端末２００である自宅のパソコンでもって、上記ホームページアドレスの具体的内容である上記ピンポイントアクセスデータ１により、図６に記載の表示内容を、参列すべき葬儀のピンポイント情報として視認することができる。
【００８２】
この表示内容によれば、上記基本データの内容により、葬儀者名、告別式日時、葬儀の種類及び掲載期間を具体的に確認することができる。
【００８３】
また、当該表示内容によれば、葬儀が○○式葬儀であること及び葬儀会場の地域が××市△△町○○村であることから、当該葬儀及び地域に固有のマナー情報が提供される。その結果、例えば、参列予定者にとってマナー等の不明であることによる不安要因が確実に除去され、参列予定者は安心して儀式に臨み或いは儀式の参列時間を過ごせる。また、参列者或いは参列予定者は、自己の端末でもって上記ピンポイントキーワードを利用してマナー等の再確認をいつでもどこでもできるので、便利である。
【００８４】
以上のような情報は、上記ホームページアドレスの具体的内容であるピンポイントアクセスデータの入力のみで簡単にピンポイント情報としてインターネットのホームページ上で誤りなく確実に閲覧することができる。
【００８５】
また、葬儀は、一般に、突然の訃報に起因することが多いが、突然の訃報だからこそ、リアルタイムに利用できるというインターネットの利点がタイミングよく活用され得る。
【００８６】
また、上述のようにホームページに依る閲覧を利用することで、ピンポイント情報の提供が安価で簡単に行える。
【００８７】
また、上記基本データは、図６にて示すごとく、マナー情報と共に表示されることで、当該基本データは当該マナー情報と関係づけられた情報と初めてピンポイント情報としての意義を発揮し得る。
【００８８】
一方、表示装置１５０による表示内容（図６参照）では不適正であれば、ステップ４２０においてＮＯと判定される。
【００８９】
現段階において、上述の不適正である内容が、図６の表示画面の表示内容の部分修正で済むことであれば、表示装置１５０の表示画面中のボタン「部分修正」（図６参照）が操作機器１１０の操作によりクリックされる。これに伴い、ステップ４４０においてＹＥＳと判定される。
【００９０】
このため、ステップ３８０以後の処理が再度なされる。即ち、ステップ３８０において、ステップ３７０で読み出し済みの各キーワード１〜５が、再度、上述と同様に表示装置１５０によりその表示画面に表示される。
【００９１】
ここで、例えば、上記部分修正がキーワード１からキーワード２への修正であれば、上述の各キーワード１〜５のうち、キーワード２が、表示装置１５０の表示画面において操作機器１１０の操作によりクリックされる。これに伴い、上記サーバプログラムがステップ３９０からステップ３９２に進み、「メールアドレス」が選択される。
【００９２】
現段階において、上記部分修正が上述の修正で済めば、ステップ４００においてＹＥＳと判定される。これに伴い、ステップ４１０において、ピンポイントアクセスデータの作成処理がなされる。この作成処理では、上述のメールアドレスの選択に基づき、ピンポイントアクセスデータ２が、具体的に、例えば、「○○○＠××」と自動的に作成される。
【００９３】
ついで、ステップ４１１において、上述した基本データ及び選択マナーデータが、上述のように作成したメールドレスに対応するピンポイントアクセスデータ２との関連でピンポイント情報として作成され、ステップ４１２にてＨＤ１３０に出力されて記憶され、ステップ４１３にて表示装置１５０によりその表示画面にて表示される。
【００９４】
しかして、この表示画面の表示内容で適正であれば、上述と同様にステップ４２０における判定がＹＥＳとなり、ステップ４３０において、ステップ４１２で記憶済みのピンポイント情報、即ち、基本データ、選択マナーデータが上記メールドレスに対応するピンポイントアクセスデータ２との関連で送信データとしてルータを介し送信され、ネットワークＮ中のウエブサーバ及びメールサーバの記憶装置に記憶される。
【００９５】
これにより、上記葬儀情報提供者側におけるウエブサーバ及びメールサーバを介するピンポイント情報の提供の準備が終了する。
【００９６】
このような段階において、上記葬儀情報提供者は、上記ピンポイントアクセスデータ１と同様に、ピンポイントアクセスデータ２を参列予定者等の当該告別式に係わる者の眼にとまり易い場所に掲載しておけば、参列予定者等の当該告別式に係わる者は、ピンポイントアクセスデータ２を容易に眼にとめることができる。
【００９７】
従って、当該参列予定者等の当該告別式に係わる者は、端末２１０である携帯電話でもって、上記メールアドレスの具体的内容である上記ピンポイントアクセスデータ２により、上述と同様に、参列すべき葬儀のピンポイント情報として閲覧することができる。
【００９８】
以上のような情報は、上記メールアドレスのピンポイントアクセスデータ２の入力のみで簡単にピンポイント情報として取得することができるので便利である。また、携帯電話ではメールの利用率が高いので、このような携帯電話を利用してピンポイント情報を取得すれば、葬儀に関わる者、即ち参列者、参列予定者、葬儀者にとって非常に便利である。
【００９９】
また、表示装置１５０の表示内容を全面的に変更する必要がある場合には、当該表示画面中のボタン「変更」（図６参照）を操作機器１１０の操作によりクリックすれば、ステップ４４０における判定がＮＯとなる。これに伴い、上記サーバプログラムはステップ３００に戻る。
【０１００】
また、上述のようにキーワード１或いは２に限ることなく、ステップ３９０において、キーワード３〜キーワード５のいずれか一つを選択する場合には、ステップ４１０におけるピンポイントアクセスデータの作成処理が上述と実質的に同様になされ、その結果、キーワード１或いは２の場合と実質的に同様の作用効果が達成され得る。
【０１０１】
また、キーワード１〜５のすべてを選択する場合には、上述の５つのピンポイントアクセスデータが作成される。これによれば、端末２００〜２４０のうちいずれかでもって、ピンポイント情報を取得できるので、この取得の自由度が高まる。このことは、キーワード１〜５のうち選択するキーワードが多い程、ピンポイント情報の取得自由度が高まることを意味する。
（第２実施形態）
図７は、本発明の第２実施形態の要部を示している。この第２実施形態では、上記第１実施形態にて述べたフローチャート（図２及び図３参照）のうち図３のステップ４２０とエンドステップの間に、両ステップ４５０及び４５１が設けられている。これに伴い、図３のステップ４３０は廃止されている。その他の構成は上記第１実施形態と同様である。
【０１０２】
以上のように構成した本第２実施形態において、上記第１実施形態と同様にステップ４２０における判定がＹＥＳとなると、ステップ４５０においてアクセスの有無が判定される。現段階において、参列予定者が、上記第１実施形態にて述べた具体的なメールアドレスでもって、自己の携帯電話によりピンポイント情報を取得したい旨のメールを送信すると、このメールは、ネットワークＮのメールサーバ（受信サーバ）及び送信装置１４０を介しサーバ１２０により受信される。このため、ステップ４５０において受信ありということでＹＥＳと判定される。
【０１０３】
これに伴い、サーバ１２０は、ステップ４１０でＨＤ１３０に記憶済みのデータを読み出してメールとして通信装置１４０及びネットワークＮのメールサーバ（送信サーバ）を介し上記参列予定者の携帯電話に送信する。
【０１０４】
これにより、当該参列予定者は、上記第１実施形態と同様に基本データ及び選択マナーデータを視認し得る。その結果、本第２実施形態でも、上記第１実施形態と実質的に同様の作用効果が達成され得る。
【０１０５】
なお、本発明の実施にあたり、上記各実施形態に限ることなく、次のような種々の変形例が挙げられる。
（１）上記基本データは、各実施形態にて述べた項目に限ることなく、例えば、上記新たな葬儀に必要な項目を追加して構成してもよい。また、故人（或いは喪主）のプライバシーを配慮して、利用者に対し表示しない項目は、必要に応じて、上記基本データから除去してもよい。
（２）上記基本データは葬儀用に限らず、他の種類の儀式においても実質的に同様に特定される。従って、基本データは、冠婚葬祭のいずれかの新たな儀式を特定するに必要なデータでもって構成される。
【０１０６】
例えば、当該基本データは、冠婚葬祭のいずれかの新たな儀式を行う者の名、当該儀式の日時、当該儀式に必要なマナー情報及び掲載期間でもって構成される。
（３）上述した提供情報リストの構成する上記一般的情報は、インターネット等のネットワークを介し定期的に入手するようにし、このように入手した情報に上記付加情報を編集により付加して構成してもよい。これによれば、ＨＤ１３０の記憶容量の軽減につながる。
（４）上記ピンポイントアクセスデータは、ステップ４１０にて自動的に作成されるのではなく、別途、葬儀情報提供者側で手動により作成するようにしてもよい。
（５）上記ピンポイント情報のうち、上記○○式葬儀のマナー情報は、告別式及び通夜における情報に限ることなく、危篤、臨終及び法要の少なくとも１つに関する情報とともに提供するようにしてもよい。
（６）上記提供情報リストは、葬儀に関するものに限ることなく、冠婚葬祭のすべてに関する情報のリストであってもよい。
（７）上記ピンポイント情報は、上述のように上記ピンポイントアクセスデータに依って初めて取得し得るのではなく、例えば、当該ピンポイント情報を上記葬儀情報提供者のホームページに閲覧可能にアップロードしておき、当該葬儀に関する情報をほしい人が当該ホームページを検索すれば、上記ピンポイント情報を閲覧し得るようにしてもよい。
（８）上述したピンポイント情報提供装置１００のうち、操作機器１１０、サーバ１２０、ＨＤ１３０及び表示装置１５０は、主として、ピンポイント情報作成装置を構成する。この場合、図３のステップ４３０や図７の両ステップ４５０、４５１の処理は、サーバ１２０の処理から除外する。
（９）ＨＤ１３０に代えて、サーバ１２０のＲＯＭに上記提供情報リストや情報取得用キーワードを予め記憶するようにしてもよい。
【図面の簡単な説明】
【０１０７】
【図１】本発明の第１実施形態を示すブロック図である。
【図２】図１のサーバの作用を示すフローチャートの前段部である。
【図３】図１のサーバの作用を示すフローチャートの後段部である。
【図４】上記第１実施形態における基本データの表示例示図である。
【図５】上記第１実施形態における情報取得用キーワードの表示例示図である。
【図６】上記第１実施形態におけるピンポイント情報の表示例示図である。
【図７】本発明の第２実施形態の要部を示すフローチャートである。
【符号の説明】
【０１０８】
１１０…操作機器、１２０…サーバ、１３０…ＨＤ、１４０…通信装置、
１５０…表示装置。
【図１】
2006251942.tif 000003
【図２】
2006251942.tif 000004
【図３】
2006251942.tif 000005
【図４】
2006251942.tif 000006
【図５】
2006251942.tif 000007
【図６】
2006251942.tif 000008
【図７】
2006251942.tif 000009